(57)【要約】【課題】静音性に優れたイオン風を発生可能な送風装置を提供する。【解決手段】放電極と、対向極と、を備え、前述放電極と、前述対向極と、の間に電位差を設けることでイオン風を形成する送風装置であって、前記放電極は、前記イオン風の発生に伴う騒音を低減する騒音低減手段を有することを特徴とする送風装置を提供する。【選択図】図９
2010027352.tif 000002
【特許請求の範囲】
【請求項１】
放電極と、
対向極と、
を備え、
前記放電極と、前記対向極と、の間に電位差を設けることでイオン風を形成する送風装置であって、
前記放電極は、前記イオン風の発生に伴う騒音を低減する騒音低減手段を有することを特徴とする送風装置。
【請求項２】
前記放電極は、一定間隔で並んだ複数の突起部を有し、
前記一定間隔と、前記放電極の厚さと、の積は、０．２５×１０−６ｍ２以上で２０×１０−６ｍ２以下であることを特徴とする請求項１記載の送風装置。
【請求項３】
前記積は、０．５×１０−６ｍ２以上で５×１０−６ｍ２以下であることを特徴とする請求項２記載の送風装置。
【請求項４】
前記一定間隔は、１ｍｍ以上で２０ｍｍ以下であることを特徴とする請求項２または３に記載の送風装置。
【請求項５】
前記一定間隔は、３ｍｍ以上で１２．５ｍｍ以下であることを特徴とする請求項４記載の送風装置。
【発明の詳細な説明】
【技術分野】
【０００１】
本発明の態様は、一般には、送風装置に関し、具体的には、放電極と対向極との間に電位差を設けることでイオン風を形成する送風装置に関する。
【背景技術】
【０００２】
空気の撹拌や、集塵、冷却、空間遮断などの各種の用途に送風装置が利用されている。例えば、住空間において、キッチン空間で発生した臭いや油煙などが隣接するリビング空間に流れ込むと、リビング空間における快適性が阻害され、また、リビング空間の壁面やリビング空間に置かれた物品が汚損するおそれがある。このような場合には、エアカーテンにより空間を遮断することが有効である。
【０００３】
これに対して、イオン風を形成する技術が提案されている（特許文献１及び特許文献２）。イオン風は、放電極と対向極との間に電圧を印加してコロナ放電を発生させることにより生成させる。コロナ放電により、空間内の分子がイオン化し、イオン化した分子は対向極に向かって流れるが、一部の分子は室内に放出される。この分子の流れにより、イオン風が形成される。
【０００４】
送風装置が必要とされる各種の用途において、遮蔽性を高めるため風速を高くすることが求められる一方、騒音を低減することが求められている。
【特許文献１】特公昭６０−２９４９８号公報
【特許文献２】特許第３６４４９４１号公報
【発明の開示】
【発明が解決しようとする課題】
【０００５】
本発明の態様は、静音性に優れたイオン風を発生可能な送風装置を提供する。
【課題を解決するための手段】
【０００６】
本発明の一態様によれば、放電極と、対向極と、を備え、前述放電極と、前述対向極と、の間に電位差を設けることでイオン風を形成する送風装置であって、前記放電極は、前記イオン風の発生に伴う騒音を低減する騒音低減手段を有することを特徴とする送風装置が提供される。
【発明の効果】
【０００７】
本発明によれば、静音性に優れたイオン風を発生可能な送風装置が提供される。
【発明を実施するための最良の形態】
【０００８】
第１の発明は、放電極と、対向極と、を備え、前記放電極と、前記対向極と、の間に電位差を設けることでイオン風を形成する送風性能であって、前記放電極は、前記イオン風の発生に伴う騒音を低減する騒音低減手段を有することを特徴とする送風装置である。  
この送風装置によれば、静音性に優れたイオン風を発生可能な送風装置が提供される。
【０００９】
第２の発明は、第１の発明において、前記放電極は、一定間隔で並んだ複数の突起部を有し、前記一定間隔と、前記放電極の厚さと、の積は、０．２５×１０−６ｍ２以上で２０×１０−６ｍ２以下であることを特徴とする送風装置である。  
この送風装置によれば、高い風速と静音性とを兼ね備えたイオン風を発生可能な送風装置が提供される。ここで、高い風速とは、イオン風の風速分布が均一化されるため、風速が減衰しにくく、イオン風の到達風速が高い値で維持されるということを意味する。
【００１０】
また、第３の発明は、第２の発明において、前記積は、０．５×１０−６ｍ２以上で５×１０−６ｍ２以下であることを特徴とする送風装置である。  
この送風装置によれば、さらに高い風速と静音性とを兼ね備えたイオン風を発生可能な送風装置が提供される。
【００１１】
また、第４の発明は、第２または第３の発明において、前記一定間隔は、１ｍｍ以上で２０ｍｍ以下であることを特徴とする送風装置である。  
この送風装置によれば、さらに高い風速と静音性とを兼ね備えたイオン風を発生可能な送風装置が提供される。
【００１２】
また、第５の発明は、第４の発明において、前記一定間隔は、３ｍｍ以上で１２．５ｍｍ以下であることを特徴とする送風装置である。  
この送風装置によれば、さらに高い風速と静音性とを兼ね備えたイオン風を発生可能な送風装置が提供される。
【００１３】
以下、本発明の実施形態について図面を参照しつつ説明する。なお、各図面中、同様の構成要素には同一の符号を付して詳細な説明は適宜省略する。  
図１は、本発明の実施の形態に係る送風装置を例示する模式側面図である。  
また、図２は、送風装置を上方から見たときの模式平面図である。
【００１４】
図１及び図２に示すように、送風装置１は、放電極２と、対向極３と、を備える。対向極３は、一対の対向極３、３とすることができ、以下かかる構成を採用した場合を例に挙げて説明する。送風装置１は、後述するように、放電極２と対向極３との間に電位差を設けることでイオン風を形成する送風装置である。
【００１５】
放電極２は、金属製の板状部材とすることができる。ここで、本実施形態では、放電極２は、イオン風の発生に伴う騒音を低減する騒音低減手段を有している。放電極２は、その長手方向に、対向極３が設けられた側に向けて突出する突起部２ｐを一定間隔で複数有する構成にすることができる。突起部の先端は、例えば鋭角の先端とすることができる。尚、突起部２ｐは、針状形状とすることもできる。このように、先端を尖らせることにより後述する電子の発生場所を突起部２ｐの先端に限定させることができる。また、突起部２ｐの先端から放出される電子がさらに集束されるので、放出される電子が広がることなく真っ直ぐに飛び出しイオン風の直進性を高めることができる。ただし、突起部２ｐの先端は鋭角には限定されず、必要とされるイオン風が形成される限りにおいて、鈍角であってもよく、あるいは丸みを帯びた形状であってもよい。
【００１６】
対向極３は、金属製の平板状部材とすることができ、その長手方向が放電極２の長手方向とほぼ平行となるようにして配設される構成にすることができる。  
また、一対の対向極３、３の間の中間位置の上方に放電極２が設けられるようにしてよく、放電極２の突起部２ｐは、一対の対向極３、３の間の中間位置に向けて突出する構成にしてよい。
【００１７】
なお、図示しないが、一対の対向極３、３の対向方向外側には樹脂等の電気絶縁性材料からなる一対のカバー部材が設けられてもよい。また、放電極２は、樹脂等の電気絶縁性材料からなる支持部材を介してカバー部材に取り付けられてもよい。  
そして、後述するように放電極２には直流電源１０が接続され、一対の対向極３、３は接地されている（図３を参照）。  
ここで、キッチン空間などで発生した水蒸気や油煙などを遮断するような用途を考慮すれば、放電極２と、一対の対向極３、３とはステンレスからなるものとすることが好ましい。
【００１８】
また、放電極２と、一対の対向極３、３とを導電性の保護膜でコーティング（例えば、導電性フッ素樹脂コーティングなど）したり、耐食性の高い金属でメッキしたり、酸化チタン等の導電性を有する光触媒をコーティングしたりすることもできる。このような導電性のコーティングやメッキなどであれば、後述する、両電極間に電位差を設けることにより発生するコロナ放電を妨げることなく放電極２と、一対の対向極３、３との耐食性や防汚性を高めることができる。その結果、水蒸気や油煙などが発生するような環境であっても長期間にわたる運転が可能となる。
【００１９】
次に、イオン風の発生原理について説明をする。  
図３は、イオン風の発生原理を説明するための模式斜視図である。  
図３に示すように、放電極２には直流電源１０が接続され、マイナスの電圧が印加されている。そして、直流電源１０のプラス側と一対の対向極３、３とは接地されている。尚、直流電源１０のプラス側が放電極２と接続され、直流電源１０のマイナス側と一対の対向極３、３とが接地されるようにすることもできる。また、放電極２と、一対の対向極３、３との間に電位差が存在すればよいので、放電極２側が接地される構成にしてもよく、あるいは、放電極２及び対向極３のいずれの側も設置されない構成にしてもよい。
【００２０】
直流電源１０により放電極２に、例えば−２０ｋＶ程度の電圧が印加されると、放電極２と一対の対向極３、３との間に電位差が生じ、突起部２ｐの先端部付近の電界強度が局部的に高くなりコロナ放電が発生する。印加電圧は、使用状況に応じて任意の値にすることができ、例えば１０ｋＶ〜２０ｋＶ程度が挙げられる。そして、このコロナ放電により生成された電子は放電極２と一対の対向極３、３との間に形成された電界により図中下方に向けて引き出される。
【００２１】
図３に示すように、引き出された電子が、気体分子（例えば、水蒸気（Ｈ２Ｏ）や酸素（Ｏ２）など）に付着すると、気体分子はマイナス電荷を帯びるイオンとなる。イオンの一部は一対の対向極３、３に引き込まれるが、一対の対向極３、３の対向方向の中心付近は左右の対向極３、３からの電位が等電位となるので、残りのイオンは中央部付近を通り抜けるようにして図中下方の空間に向けて放出されることになる。このように、前述した電界の作用により、イオンの一部は、図中下方の空間に向けて放出されることになる。その結果、下方への気体分子の流れ、すなわち、イオン風と呼ばれる空気の流れが生じることになる。
【００２２】
次に、放電極２に設けられた騒音低減手段について説明する。  
本発明者は、突起部２ｐの間隔（いわゆるピッチ。より詳細には、突起部２ｐの先端の間隔。あるいは、突起部２ｐの先端部を形成する２辺を等しい長さの２辺とした二等辺三角形において、突起部２ｐの先端部の頂点からその対辺に引いた垂線の間隔）と、放電極２の板厚（あるいは、放電極２の突起部２ｐの厚さ）と、の積「ピッチ×板厚」を一定範囲にすると、イオン風の風速と静音性とがともに適切に確保されることを見出した。すなわち、前記騒音低減手段の具体例の１つとして、「ピッチ×板厚」を一定範囲にした構成が挙げられる。
【００２３】
これにより、より遠くへ風の流れが到達し、空気遮断性能が向上する。また、イオン風発生に伴う音が小さいため、快適性が保たれる。このため、本実施形態に係る送風装置１は、快適性を確保しつつ、一定空間内の臭い、油煙、水蒸気等の漏れを良好に遮断することができ、キッチン、バス、洗面、トイレなどに有効に適用することができる。
【００２４】
これら特性を実現させるための突起部２ｐのピッチと放電極２の板厚との積「ピッチ×板厚」は、具体的には、好ましくは０．２５×１０−６ｍ２以上２０×１０−６ｍ２以下、より好ましくは０．５×１０−６ｍ２以上５×１０−６ｍ２以下である。以下、この根拠について、比較実験を用いて説明する。
【００２５】
まず、イオン風の風速と、放電極２（突起部２ｐ）のピッチ及び板厚との関係について、比較実験１を用いて、図４〜図７を参照しつつ説明する。
【００２６】
（比較実験１）
比較実験１では、イオン風の風速と、放電極２（突起部２ｐ）のピッチ及び板厚との関係について検討を行った。なお、以下において「風速」とは、上下方向（Ｚ軸方向）成分の風速を意味する。  
図４は、比較実験１で用いた送風装置を表す模式斜視図である。本実験では、突起部２ｐのピッチＰ及び放電極２（突起部２ｐ）の厚さ（板厚Ｔ）を複数選択し、それぞれの場合において所定位置における風速を測定して比較を行った。実験条件は、次の通りである。
【００２７】
放電極２の突起部２ｐの先端の形状は鋭角で、角度は２０度である。突起部２ｐのピッチＰは、０．５ｍｍ〜２５ｍｍの範囲で複数の値（０．５ｍｍ、１ｍｍ、２ｍｍ、４ｍｍ、８ｍｍ、１２．５ｍｍ、及び２５ｍｍ、の７つの値）を用いた。突起部２ｐの突起高さは、Ｐが０．５ｍｍの場合は１．５ｍｍ、Ｐが１ｍｍの場合は２．８ｍｍ、Ｐが２ｍｍの場合は５．６ｍｍ、Ｐが４ｍｍ、８ｍｍ、１２．５ｍｍ、及び２５ｍｍの場合は５ｍｍである。
【００２８】
放電極２の板厚Ｔには、０．１ｍｍ、０．５ｍｍ、及び１ｍｍ、の３つの値を用いた。なお、板厚Ｔが０．１ｍｍの放電極２はエッチング加工により、また板厚Ｔが０．５ｍｍ及び１ｍｍの放電極２はワイヤ加工（ワイヤ放電加工）により、それぞれ作製した。
【００２９】
放電極２及び対向極３の長手方向の長さＬは３００ｍｍ、対向する２つの対向極３の間の距離（対向極間距離Ａ）は２５ｍｍ、また、放電極２と対向極３との間の上下方向の距離（放電極対向極間距離Ｂ）は２０ｍｍである。
【００３０】
対向極３の上下方向の幅（対向極幅Ｃ）は６０ｍｍ、また対向極３の厚さは２ｍｍである。  
印加電圧は、２０ｋＶとした。
【００３１】
これらの条件で、上下方向の風速成分のみを検出する装置（風速計）を用いて、送風装置１の下端から１．５ｍ下方の位置における風速を測定した。
【００３２】
図５は、実験結果を示した表である。このうち、図５の（ａ）、（ｂ）、及び（ｄ）が本測定に係る数値である。  
また、図６は、図５の（ａ）、（ｂ）、及び（ｄ）の数値、すなわち、ピッチＰ及び板厚Ｔと風速との関係を表すグラフ図である。  
図６から、イオン風の風速はピッチＰによって変動することがわかる。すなわち、風速は、ピッチＰが１〜２０ｍｍであるときに高く、３〜１２．５ｍｍであるときにさらに高くなる。
【００３３】
また、図６から、イオン風の風速は板厚Ｔによっても変動することがわかる。すなわち、板厚Ｔが小さくなると、風速は高くなる傾向にある。
【００３４】
これらから、イオン風の風速は、ピッチＰと板厚Ｔとに依存するといえる。このため、良好な風速を得るための指標として、ピッチＰと板厚Ｔとの積「ピッチＰ×板厚Ｔ」を用いることができると考えられる。  
本発明者は、この考察を踏まえ、「ピッチＰ×板厚Ｔ」と風速との関係（図５の（ｃ）及び（ｄ））を調べた。
【００３５】
図７は、図５の（ｃ）及び（ｄ）、すなわち、「ピッチＰ×板厚Ｔ」と風速との関係を表すグラフ図である。  
図７から、イオン風の風速と「ピッチＰ×板厚Ｔ」との間には相関関係があることがわかる。良好な風速を得るためには、「ピッチＰ×板厚Ｔ」は、０．２５［１０−６ｍ２］以上２０［１０−６ｍ２］以下が好ましく、０．５［１０−６ｍ２］以上５［１０−６ｍ２］以下がより好ましいといえる。  
また、この場合において、図６に関して前述したように、ピッチＰは１ｍｍ以上２０ｍｍ以下が好ましく、３ｍｍ以上１２．５ｍｍ以下がより好ましい。
【００３６】
次に、騒音と、放電極２（突起部２ｐ）のピッチ及び板厚との関係について、比較実験２を用いて、図４、図５、図８、及び図９を参照しつつ説明する。
【００３７】
（比較実験２）
比較実験２では、騒音と、放電極２（突起部２ｐ）のピッチ及び板厚との関係について検討を行った。  
比較実験２でも、図４に関して前述した送風装置を用いた。本実験では、突起部２ｐのピッチＰ及び放電極２（突起部２ｐ）の板厚Ｔを複数選択し、それぞれの場合において所定位置における騒音を測定して比較を行った。実験条件は、長手方向の長さＬに３００ｍｍ及び１ｍの２つの値を用いたことと、印加電圧に１２ｋＶ、１６ｋＶ、及び２０ｋＶの３つの値を用いたことを除き、比較実験１と同じである。  
これらの条件で、送風装置１の下端から１ｍ下方の位置における騒音値を測定した。
【００３８】
図５は、実験結果を表した表である。このうち、図５の（ａ）、（ｂ）、（ｅ）、及び（ｆ）が、本測定に係る数値である。  
また、図８は、図５の（ａ）、（ｂ）、及び（ｅ）、すなわち、ピッチＰ及び板厚Ｔと騒音値との関係を表すグラフ図である。
図８から、騒音値は、ピッチＰによって変動することがわかる。すなわち、騒音値は、ピッチＰが１〜２０ｍｍであるときに小さく、３〜１２．５ｍｍであるときにさらに小さくなる。
【００３９】
また、図８から、騒音値は、板厚Ｔによっても変動することがわかる。すなわち、板厚Ｔが小さくなると、騒音値は小さくなる傾向にある。  
なお、図化しなかったが、長手方向の長さＬが１ｍの場合も、同様の傾向を示している。
【００４０】
これらから、騒音値は、ピッチＰと板厚Ｔとに依存するといえる。このため、良好な静音性を得るための指標として、比較実験１と同様にピッチＰと板厚Ｔとの積「ピッチＰ×板厚Ｔ」を用いることができると考えられる。
【００４１】
本発明者は、この考察を踏まえ、「ピッチＰ×板厚Ｔ」と騒音値との関係（図５の（ｃ）及び（ｅ））を調べた。
【００４２】
図９は、図５の（ｃ）及び（ｅ）、すなわち、「ピッチＰ×板厚Ｔ」と騒音値との関係を表すグラフ図である。  
図９から、騒音値と「ピッチＰ×板厚Ｔ」との間には相関関係があることがわかる。良好な静音性を得るためには、「ピッチＰ×板厚Ｔ」は、０．２５［１０−６ｍ２］以上２０［１０−６ｍ２］以下が好ましく、０．５［１０−６ｍ２］以上５［１０−６ｍ２］以下がより好ましいといえる。
【００４３】
また、この場合において、図８に関して前述したように、ピッチＰは１ｍｍ以上２０ｍｍ以下が好ましく、３ｍｍ以上１２．５ｍｍ以下がより好ましい。
【００４４】
以上から、「ピッチＰ×板厚Ｔ」が上述した範囲にあれば、十分な風速性能と静音性とを兼ね備えた送風装置が得られる。これまでキッチンなどで送風装置を用いる場合、送風装置を天井に取り付けることが多く、天井から調理台などの下部にイオン風が達するようにするため、高い風速が必要とされてきた。かかる場合に、風速を高めようとすると、放電による騒音が大きくなってしまうという課題があった。本実施形態によれば、良好な風速性能（遮断性能）と静音性とを同時に実現することができ、このような問題が解消される。これにより、清潔で快適なキッチン空間を実現することができる。
【００４５】
次に、ピッチＰと、風速性能及び静音性との関係についてより詳細に説明する。  
前述したように、ピッチＰは、１〜２０ｍｍであることが好ましく、３〜１２．５ｍｍであることがより好ましい。これら範囲から逸脱すると、風速性能や静音性は低下する。以下、この理由について説明する。
【００４６】
ピッチＰが大きすぎる（隣接する突起部２ｐ間の距離が大きい）と、放電は各突起部２ｐに集中すると考えられる。この放電集中により、送風装置１の下方の風速分布（図４のＸ軸方向）は不均一なものとなる。この結果、渦が生じたり風同士が干渉したりして、イオン風は不均一になる。このため、イオン風を構成する分子の運動エネルギーが減殺され、風速が低下するとともに、放電集中により騒音が増大すると考えられる。
【００４７】
一方、ピッチＰが小さすぎる（隣接する突起部２ｐ間の距離が小さい）と、近隣の突起部２ｐ間で放電の干渉が生じると考えられる。この放電干渉により、ランダムで強弱を伴う放電が発生する。すなわち、強い放電が生じる突起部２ｐと、弱い放電が生じる突起部２ｐとが併存することになる。このため、送風装置１の下方の風速分布（図４のＸ軸方向）は不均一なものとなる。この結果、上記と同様に、イオン風を構成する分子の運動エネルギーが減殺され、風速が低下するとともに、ピッチＰが大きすぎる場合ほどではないが、強い放電が生じる部分により騒音が増大すると考えられる。
【００４８】
次に、板厚Ｔと、風速性能及び静音性との関係について、図１０を参照しつつより詳細に説明する。  
前述したように、板厚Ｔは小さいことが好ましい。以下、この理由について説明する。
【００４９】
図１０は、板厚Ｔと放電の強さとの関係を表す模式図である。  
図１０（ａ）は、２つの板厚Ｔ（０．１ｍｍ及び１ｍｍ）について、電圧を徐々に上げた場合の放電の強さを表した模式グラフ図である。  
図１０（ａ）から、板厚Ｔが１ｍｍの場合は、板厚Ｔが０．１ｍｍの場合に比べて、放電開始電圧は高いが、そこから、電圧を上昇させると、急激に放電が強くなっていることがわかる。
【００５０】
図１０（ｂ）は、板厚Ｔが１ｍｍの場合について、放電の状況を表した写真である。この図は、放電時の突起部２ｐの近傍を写している。図中の円は薄紫色の光であり、コロナ放電が発生していることを表している。一方、図１０（ｃ）は、板厚Ｔが０．１ｍｍの場合について、放電の状況を表した写真である。  
図１０（ｂ）及び図１０（ｃ）の円の大きさを比較すると、板厚Ｔが１ｍｍの場合は、板厚Ｔが０．１ｍｍの場合に比べて強い放電が生じていることがわかる。
【００５１】
これから、板厚Ｔが大きいと、放電極２（突起部２ｐ）の先端の抵抗が大きくなり、放電のエネルギーが音や光として消費されると考えられる。この結果、イオン風を構成する分子の運動エネルギーは小さくなり、風速性能が低下する。また、放電のエネルギーが音として消費されやすいため、静音性も低下する。
【００５２】
一方、板厚Ｔが小さいと、放電極２（突起部２ｐ）の先端が厚み方法で鋭いため、放電が効率的に行われ、静かな放電になると考えられる。この結果、イオン風を構成する分子の運動エネルギーは大きくなり、風速性能が向上する。また、放電のエネルギーが音として消費されにくいため、静音性も向上する。
【００５３】
（応用例）
図１１は、送風装置の設置例を説明するための斜め上から見た模式図である。  
また、図１２は、送風装置の設置例を説明するための模式平面図である。
【００５４】
図１１、図１２に示すように、アイランド型のシステムキッチン４２を備えるキッチン空間４３と、これに隣接するリビング空間４４との間には送風装置４１が設けられている。送風装置４１は天井部分に埋め込まれるようにして設置され、床面に向かってイオン風を送風し、イオン風の幕を形成させることでキッチン空間４３を遮蔽することができるようになっている。
【００５５】
また、送風装置４１には、３つの送風装置ユニットが設けられており、これらを連結することで一体的なイオン風の幕を形成させることができるようになっている。また、設置がされる部屋の寸法に合わせて、図中の左側の送風装置ユニットの長手方向寸法が短いものとされている。また、対向極、放電極をそれぞれ電気的に接続し、１台の直流電源４１ａで送風装置４１を運転するようになっている。
【００５６】
本実施の形態によれば、「ピッチＰ×板厚Ｔ」が所定の値を有することにより、十分な風速性能と静音性とを兼ね備えたイオン風が形成される。このため、イオン風の幕を隙間なく形成させることができ、キッチン空間４３とリビング空間４４との間の遮蔽性を高めることができる。これにより、リビング空間４４の壁面やリビング空間４４などに置かれた物品が汚損することもない。また、イオン風の騒音によって快適性が害されることがない。また、送風装置４１を天井部分に埋め込むようにして設置することができるので、人の動線が妨げられず、キッチン空間４３やリビング空間４４における人の動作が阻害されるようなこともない。
【００５７】
図１３は、他の実施の形態に係る送風装置の設置例を説明するための模式平面図である。図１３に示すように、ペニンシュラ型のシステムキッチン４６を備えるキッチン空間４３と、これに隣接するリビング空間４４との間には送風装置４５が設けられている。送風装置４５は天井部分に埋め込まれるようにして設置され、床面に向かってイオン風を送風し、イオン風の幕を形成させることでキッチン空間４３を遮蔽することができるようになっている。
【００５８】
また、送風装置４５には、５つの送風装置ユニットが設けられており、これらを連結することで一体的なイオン風の幕を形成させることができるようになっている。また、設置がされる部屋の寸法に合わせて、図１３の送風装置ユニット４５ｂの長手方向寸法が短いものとされている。また、対向極、放電極をそれぞれ電気的に接続し、１台の直流電源４５ａで送風装置４５を運転するようになっている。
【００５９】
本実施の形態によれば、ペニンシュラ型のシステムキッチン４６を備えるキッチン空間４３を囲むようにして送風装置４５を設けることができ、隣接するリビング空間４４を広くしたり、キッチン空間４３に露出する壁面積を減らすことで壁の汚損を抑制したりすることができる。
【００６０】
そして、このような設置形態においても、「ピッチＰ×板厚Ｔ」が所定の値を有することにより、十分な風速性能と静音性とを兼ね備えたイオン風が形成される。このため、イオン風の幕を隙間なく形成させることができ、キッチン空間４３とリビング空間４４との間の遮蔽性を高めることができる。これにより、リビング空間４４の壁面やリビング空間４４などに置かれた物品が汚損することもない。また、イオン風の騒音によって快適性が害されることがない。また、送風装置４１を天井部分に埋め込むようにして設置することができるので、人の動線が妨げられず、キッチン空間４３やリビング空間４４における人の動作が阻害されるようなこともない。
【００６１】
図１４は、他の実施の形態に係る送風装置の設置例を説明するための模式平面図である。図１４に示すように、アイランド型のシステムキッチン４２を備えるキッチン空間４３と、これに隣接するリビング空間４４との間には送風装置５０が設けられている。送風装置５０は天井部分に埋め込まれるようにして設置され、床面に向かってイオン風を送風し、イオン風の幕を形成させることでキッチン空間４３を遮蔽することができるようになっている。
【００６２】
また、送風装置５０には、可撓性を有する材料からなる一対の対向極４７ａおよび放電極４７ｂ、対向極４７ａと放電極４７ｂとを保持案内するための案内部材４８、４９とが設けられている。  
可撓性を有する材料からなる一対の対向極４７ａ、放電極４７ｂは、例えば、金属の薄板からなるものとすることができ、具体的には厚みが０．０５ｍｍ〜０．２ｍｍ程度のステンレスなどを用いることができる。
【００６３】
案内部材４８、４９は、柱状の形態を呈し、その外周部には対向極４７ａ、放電極４７ｂを保持するための溝が設けられている。また、その断面形状や材質などは特に限定されるものではないが、例えば、その断面が円形、材質が樹脂等の電気絶縁性材料からなるものとすることができる。  
また、施工に関しては、対向極４７ａ、放電極４７ｂを案内部材４８、４９に保持案内させることで一体的に設置することができるし、案内部材４８、４９の部分などでそれらを連結させるようにすることもできる。尚、対向極４７ａ、放電極４７ｂをそれぞれ電気的に接続し、図示しない１台の直流電源で送風装置５０を運転させるようにすることもできる。
【００６４】
本実施の形態によれば、アイランド型のシステムキッチン４２を備えるキッチン空間４３を囲むようにして送風装置５０を設けることができ、隣接するリビング空間４４を広くしたり、キッチン空間４３に露出する壁面積を減らすことで壁の汚損を抑制したりすることができる。そして、可撓性を有する材料からなる対向極４７ａ、放電極４７ｂを用いているので、遮蔽される空間（キッチン空間４３）の寸法や形状に合わせて任意の設置形態を採用することができる。また、対向極４７ａ、放電極４７ｂの厚みが薄いので、施工現場における切断（寸法合わせ）が容易となり作業効率を向上させることができる。
【００６５】
本実施の形態においても、「ピッチＰ×板厚Ｔ」が所定の値を有することにより、十分な風速性能と静音性とを兼ね備えたイオン風が形成される。このため、イオン風の幕を隙間なく形成させることができ、キッチン空間４３とリビング空間４４との間の遮蔽性を高めることができる。これにより、リビング空間４４の壁面やリビング空間４４などに置かれた物品が汚損することもない。また、イオン風の騒音によって快適性が害されることがない。また、送風装置４１を天井部分に埋め込むようにして設置することができるので、人の動線が妨げられず、キッチン空間４３やリビング空間４４における人の動作が阻害されるようなこともない。
【００６６】
以上説明したように、本実施形態によれば、放電極２（突起部２ｐ）の「ピッチＰ×板厚Ｔ」を一定範囲から選択される値にすることにより、十分な風速性能と静音性とを兼ね備えた送風装置が得られる。
【００６７】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。  
また、本発明の態様の送風装置の用途は、空間の遮断に限定されるものではなく、その他、空気の撹拌、冷却、集塵をはじめとして気流の形成が必要な各種の用途に同様に用いることができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００６８】
【図１】本発明の実施の形態に係る送風装置を例示する模式側面図である。
【図２】送風装置を上方から見たときの模式平面図である。
【図３】イオン風の発生原理を説明するための模式斜視図である。
【図４】比較実験１で用いた送風装置を表す模式斜視図である。
【図５】実験結果を示した表である。
【図６】図５の（ａ）、（ｂ）、及び（ｄ）の数値、すなわち、ピッチＰ及び板厚Ｔと風速との関係を表すグラフ図である。
【図７】図５の（ｃ）及び（ｄ）、すなわち、「ピッチＰ×板厚Ｔ」と風速との関係を表すグラフ図である。
【図８】図５の（ａ）、（ｂ）、及び（ｅ）、すなわち、ピッチＰ及び板厚Ｔと騒音値との関係を表すグラフ図である。
【図９】図５の（ｃ）及び（ｅ）、すなわち、「ピッチＰ×板厚Ｔ」と騒音値との関係を表すグラフ図である。
【図１０】板厚Ｔと放電の強さとの関係を表す模式図である。
【図１１】送風装置の設置例を説明するための斜め上から見た模式図である。
【図１２】送風装置の設置例を説明するための模式平面図である。
【図１３】他の実施の形態に係る送風装置の設置例を説明するための模式平面図である。
【図１４】他の実施の形態に係る送風装置の設置例を説明するための模式平面図である。
【符号の説明】
【００６９】
１  送風装置、２  放電極、２ｐ  突起部、３  対向極、１０  直流電源、４１  送風装置、４１ａ  直流電源、４２  システムキッチン、４３  キッチン空間、４４  リビング空間、４５  送風装置、４５ａ  直流電源、４５ｂ  送風装置ユニット、４６  システムキッチン、４７ａ  対向極、４７ｂ  放電極、４８  案内部材、４９  案内部材、５０  送風装置、Ａ  対向極間距離、Ｂ  放電極対向極間距離、Ｃ  対向極幅、Ｌ  長手方向の長さ、Ｐ  ピッチ、Ｔ  板厚
【図１】
2010027352.tif 000003
【図２】
2010027352.tif 000004
【図３】
2010027352.tif 000005
【図４】
2010027352.tif 000006
【図５】
2010027352.tif 000007
【図６】
2010027352.tif 000008
【図７】
2010027352.tif 000009
【図８】
2010027352.tif 000010
【図９】
2010027352.tif 000011
【図１１】
2010027352.tif 000012
【図１２】
2010027352.tif 000013
【図１３】
2010027352.tif 000014
【図１４】
2010027352.tif 000015
【図１０】
2010027352.tif 000016